(57)【特許請求の範囲】
【請求項１】
上方に向けて先細り形状とした、鋼管を用いた２つのシェルからなる超高層タワーであって、
前記２つのシェルは、それぞれ外周面が複数の直線状鋼管によって双曲放物面に形成されると共に、下方から上方に向けて放物状から略垂直状に形成された上面視概略三角形状の頂点を備えたシェルであり、該それぞれのシェルの上面視概略三角形状の頂点を外側にして、それぞれのシェルの上面視概略三角形状の底辺側を、間隙を置いて対向させてなることを特徴とする鋼管を用いた２つのＨＰシェルからなる超高層タワー。
【請求項２】
前記間隙は、東西方向を基準線として、該基準線から所定幅が間隙として形成され、前記２つのシェルの対向する面側の間隙両端には上方向に延伸するトラス柱を対向させて、前記シェルを形成したことを特徴とする請求項１記載の鋼管を用いた２つのＨＰシェルからなる超高層タワー。
【請求項３】
前記超高層タワーの内部には、前記２つのシェルとは別個に独立してタワー中心部分に上方向に延伸する構造体が形成され、該構造体には所定高さ毎に少なくとも３つ形成された展望台と、該展望台間を移動可能な高速エレベーターを備えていることを特徴とする請求項１又は２記載の鋼管を用いた２つのＨＰシェルからなる超高層タワー。
【請求項４】
前記超高層タワーは、直線状の鋼管及び鉄骨材の組み合わせで形成されていることを特徴とする請求項１又は２記載の鋼管を用いた２つのＨＰシェルからなる超高層タワー。
【請求項５】
前記超高層タワーは、高さが８８８ｍであることを特徴とする請求項１又は２記載の鋼管を用いた２つのＨＰシェルからなる超高層タワー。
【発明の詳細な説明】
【技術分野】
【０００１】
本発明は鋼管を用いた２つのＨＰシェルからなる超高層タワーに係り、特にデジタル電波塔、展望台、ロビー、イベント広場、植物園、劇場、ＴＶスタジオ等多目的機能を備え、今までに存在しなかった豊かなタワーデザインを提供できる鋼管を用いた２つのＨＰシェルからなる超高層タワーに関する。
【背景技術】
【０００２】
従来から、通信塔、展望台、シンボルタワー等の塔状構造物として、鉄骨及び鉄筋コンクリートを主体としたものが既に知られている。しかし、このような塔状構造物においては、鉄骨及び鉄筋コンクリートを主体とした場合に柱部分の断面積が大きくなり、これによって多量の鉄骨及び鉄筋コンクリートが必要となり、また、建築コストも高くなるという不都合があった。
【０００３】
そこで、鉄筋コンクリート造の構造体を構成する鉄筋コンクリート造のシャフト及び突出部と、多数のケーブルとを、空間内で安定するように結合させてタワー構造物を構成した技術が提案されている（例えば、特許文献１参照）。
【０００４】
また、風荷重を負担したときは風上側ケーブルの湾曲変形を許容してシャフト頂部の変形を風上側へ引き戻させる構成であり、変形を低減し、タワー構造の安全性と機能性を大きく向上させたケーブル式超高層タワーが提案されている（例えば、特許文献２参照）。
【０００５】
【特許文献１】特開平６−３４６６３４号公報
【特許文献２】特開２００３−１２００７２号公報
【発明の開示】
【発明が解決しようとする課題】
【０００６】
しかしながら、特許文献１及び特許文献２に記載の技術は、いずれも超高層タワーの外観についての考慮が不足しており、人が見る方向（見える観点）については何らの手当てができていないという問題があった。このため、シンボルとしての超高層タワーとしては、高い構造物が存在するという高層性のみが目立ち、芸術性の高いシンボリックな超高層物には不足するものであった。
また構造物としてコンクリートを多用しているため、再使用・再生利用の資源という観点からは、環境負荷が大きいという不都合があった。
【０００７】
本発明の目的は、タワーの空間性とシンボル性を強調でき、見る方向によって異なった表情を見せ、今までに存在しなかった豊かなタワーデザインを提供できる鋼管を用いた２つのＨＰシェルからなる超高層タワーを提供することにある。特に、東西方向に間隙を合わせることで、太陽の進行に従い年に二度、この間隙の中心に太陽が昇り、沈む、天体スケールの風景画を超高層タワーとともに生むことのできる鋼管を用いた２つのＨＰシェルからなる超高層タワーを提供することにある。
また本発明の他の目的は、再利用・再生が可能な資源・材料に基づいて構成し、タワー生涯の資源消費が最小限に留められる鋼管を用いた２つのＨＰシェルからなる超高層タワーを提供することにある。
【課題を解決するための手段】
【０００８】
前記課題は、請求項１の超高層タワーによれば、上方に向けて先細り形状とした、鋼管を用いた２つのＨＰシェルからなる超高層タワーであって、前記２つのシェルは、それぞれ外周面が複数の直線状鋼管によって双曲放物面に形成されると共に、下方から上方に向けて放物状から略垂直状に形成された上面視概略三角形状の頂点を備えたシェルであり、該それぞれのシェルの上面視概略三角形状の頂点を外側にして、それぞれのシェルの上面視概略三角形状の底辺側を、間隙を置いて対向させてなること、により解決される。
【０００９】
このように、超高層タワーは、それぞれ外周面が複数の直線状鋼管によって双曲放物面に形成されると共に、下方から上方に向けて放物状から略垂直状に形成された上面視概略三角形状の頂点を備えた上面視概略三角形状となっており、シェルの上面視概略三角形状の頂点を外側にして、それぞれのシェルの上面視概略三角形状の底辺側を、間隙を置いて対向させているので、２つのシェルを見る場合には、ゆるやかな曲線から略垂直に向い加速度的に伸びる優雅かつ力強い造形が空に伸び上がった造形として見え、また三角形状の超高層タワーとして見えるように、見る方向によって異なって見える超高層タワーとすることが可能となる。
【００１０】
このとき、請求項２のように、前記間隙は、東西方向を基準線として、該基準線から所定幅が間隙として形成され、前記２つのシェルの対向する面側の間隙両端には上方向に延伸するトラス柱を対向させて、前記シェルを形成すると好適である。
このように構成すると、間隙のある東西立面はゆるやかな曲線から略垂直に向い加速度的に伸びる優雅かつ力強い造形が空に伸び上がり、南北面は安定した三角形の立面となり、高いシンボル性を表現することができる。
【００１１】
また、請求項３のように、前記超高層タワーの内部には、前記２つのシェルとは別個に独立してタワー中心部分に上方向に延伸する構造体が形成され、該構造体には所定高さ毎に少なくとも３つ形成された展望台と、該展望台間を移動可能な高速エレベーターを備えて構成すると好適である。
【００１２】
このように、展望台は所定高さ毎に、少なくとも３つ形成されているので、例えば、一般訪問者向けに、第１展望台地上８０ｍ、第２展望台地上２００ｍ、第３展望台地上５００ｍというような構成とすることができ、地上８００ｍレベルには電波機器専用のプラットホームを形成することが可能となる。また充分な面積のある第１、第２展望台にはカフェ、レストランなどを設置する事が可能となる。
【００１３】
さらに、請求項４のように、前記超高層タワーは、直線状の鋼管及び鉄骨材の組み合わせで形成されていると、タワーの部位、部材はその生産及び運用・廃棄段階でできるだけ環境負荷の小さな材料で構成できる。
【００１４】
特に超高層タワーは、その構成材である直線状の鋼管及び鉄骨材をその耐用年数や機能に従い構成することが可能であり、また交換、補修、変更を最小限にし、直線状の鋼管及び鉄骨材は、維持、更新が容易な構法により構築でき、取り外し、分解、解体しやすく、再使用・再生利用の資源として容易に活用できる。
【００１５】
前記超高層タワーは、高さが８８８ｍであると、縁起がよく、シンボリックな数字をもった超高層タワーとなる。
【発明の効果】
【００１６】
本発明の超高層タワーは、それぞれ外周面が複数の直線状鋼管によって双曲放物面に形成されると共に、下方から上方に向けて放物状から略垂直状に形成された上面視概略三角形状の頂点を備えた上面視概略三角形状になっているために、ゆるやかな曲線から略垂直に向い加速度的に伸びる優雅かつ力強い造形が空に伸び上がった造形として見え、また三角形状の超高層タワーとして見えるように、見る方向によって異なって見える超高層タワーとすることが可能となる。
本発明の超高層タワーによれば、東西立面と南北立面によって異なる見え方をするものであり、間隙のある東西立面はゆるやかな曲線から略垂直に向い加速度的に伸びる優雅かつ力強い造形が空に伸び上がり、南北面は安定した三角形の立面となり、高いシンボル性を表現することができる。
【００１７】
以上のように、本発明の超高層タワーによれば、タワーの空間性とシンボル性を強調でき、見る方向によって異なった表情を見せ、今までに存在しなかった豊かなタワーデザインを提供でき、特に、東西方向に間隙を合わせることで、太陽の進行に従い年に二度、この間隙の中心に太陽が昇り、沈む、天体スケールの風景画を超高層タワーとともに生むことができる。
また本発明の超高層タワーは、直線状の鋼管及び鉄骨材で構成されているので、再利用・再生が可能な資源・材料で構成されることとなり、タワーの生涯の資源消費は最小限に留められる。
【発明を実施するための最良の形態】
【００１８】
以下、本発明の一実施形態を図面に基づいて説明する。なお、以下に説明する部材，配置等は本発明を限定するものでなく、本発明の趣旨の範囲内で種々改変することができるものである。例えば、以下の実施形態の説明では、東西方向に間隙を合わせた高さ８８８ｍの超高層タワーの例を示しているが、方向を限定しなくても本発明は成り立つものであり、何れの方向に間隙Ｘを合わせてもよい。同様に、高さは８８８ｍでなくてもよい。
【００１９】
図１乃至図１３は本発明の一実施形態を示すものであり、図１は超高層タワーの一実施形態を示す東西立面図、図２は図１の反対側からの立面図、図３は南北立面図、図４は図３の反対側からの立面図、図５はグランド部分を含む所定高さにおける概略断面図、図６はシェルの構成の一実施形態を示す説明図、図７はシェルの外周側を構成する鋼管と鋼棒との連結の一例を示す部分説明図、図８はシェルのトラス柱の一例を示す説明図、図９は図８の部分拡大図、図１０は展望台の構成の一例を示す概略構成図、図１１は第１展望台の床面の構造の一例を示す説明図、図１２は第２展望台の床面の構造の一例を示す説明図、図１３は第３展望台の床面の構造の一例を示す説明図、図１４は建設作業の説明図である。
【００２０】
本実施形態の超高層タワーＴは、高さが８８８ｍで、上方に向けて先細り形状とした多目的機能を備えたものである。
本実施形態の超高層タワーＴは、図１乃至図５で示すように、２つのシェル１０（１０ａ，１０ｂ）によって上方に向けて先細り形状となっており、各シェル１０（１０ａ，１０ｂ）は、所定間隙Ｘをおいて、それぞれ外周面が複数の直線状の鋼管１１（図７参照）によって双曲放物面に形成されている。また、下方から上方に向けて放物状から略垂直状に形成された上面視で概略三角形状の頂点１０ｃを備えた概略三角形状のシェル構造となっている。以下、双曲放物面を有するシェルを「ＨＰ（Hyperbolic Paraboloid）シェル」と称する。
【００２１】
ＨＰシェル１０の基礎面Ｇ１は、図５で示すように、上面視で概略三角形状をしており、これを２つ合わせて略菱形に形成されている。これにより、２つのＨＰシェル１０（１０ａ，１０ｂ）に囲われた大空間が形成できる。この空間には、例えば、全体を緩やかな丘とし、丘の地下部と表面に多様な施設（公園、イベント広場、植物園、劇場、ＴＶスタジオ等）を持ち込むことも可能となる。
【００２２】
そして、２つのＨＰシェル１０（１０ａ，１０ｂ）の間には上方向に延伸する構造体３０が構築され、この構造体３０の所定の高さ毎に、展望台３１（３１ａ，３１ｂ，３１ｃ）が複数配設されており、この展望台３１（３１ａ，３１ｂ，３１ｃ）は、不図示の高速エレベーターで行き来ができるように構成されている。
【００２３】
２つのシェル１０（１０ａ，１０ｂ）が見える状態では、図１及び図２で示すように、下方から上方へ向けたゆるやかな曲線から略垂直に向い加速度的に伸びる優雅かつ力強い造形が空に伸び上がって見えるようになっている。また図３及び図４で示すように、ＨＰシェル１０（１０ａ，１０ｂ）が重なって反対側が見えない状態（つまり一つのＨＰシェルだけが見える状態）では、略三角形状の超高層タワーＴとして見える。このように、本実施形態の超高層タワーＴは、見る方向によって、異なった超高層タワーＴとして見える。
【００２４】
図１及び図５で示すように、対向する２つのＨＰシェル１０（１０ａ，１０ｂ）の間には、ＨＰシェル１０ａと１０ｂの中央に東西方向に引いた基準線Ｌ(図５参照)を基準として、この基準線Ｌから所定幅でスリットとして見える間隙Ｘが形成されている。この間隙Ｘの、ＨＰシェル１０ａと１０ｂの対向面側の両端には、上方向に延伸するトラス柱２０（２０ａ，２０ｂ，２０ｃ，２０ｄ）をそれぞれ対向させてＨＰシェル１０（１０ａ，１０ｂ）と連結させている。
【００２５】
このような構造により、間隙Ｘ（スリット）のある東西立面はゆるやかな曲線から略垂直に向い加速度的に伸びる優雅かつ力強い造形が空に伸び上がり、南北面は安定した三角形の立面となる。すなわち、東西立面と南北立面の２つの表情を持つ立面とすることができ、タワーの空間性とシンボル性を強調できる。さらに、東西方向に間隙Ｘ（スリット）を合わせることで、太陽の進行に従い年に二度、この間隙Ｘの中心に太陽が昇り、沈む、という天体スケールの風景画を超高層タワーＴとともに生むことができる。
【００２６】
前記したように、本実施形態の超高層タワーＴは、大きく分けると２つの要素から構成されている。第１の要素は図６で示すＨＰシェル１０（１０ａ，１０ｂ）とトラス柱２０（２０ａ，２０ｂ，２０ｃ，２０ｄ）であり、第２の要素は、第１の要素と別個に独立して形成することができるものであり、図１０で示す中心部分に上方向に延伸する構造体３０である。なお、本実施形態においては、構造体３０はトラス柱２０を共用している。
【００２７】
上記ＨＰシェル１０は、図６で示すように、略対称で対向する２つＨＰシェル１０（１０ａ，１０ｂ）と、トラス柱２０（２０ａ，２０ｂ，２０ｃ，２０ｄ）から構成されている。ＨＰシェル１０は、図７で示すように、直線状の鋼管１１を連結して形成されており、この鋼管１１は、すじかい（brace）１２で補強され、すじかい（brace）１２は鉄骨材から構成される。多数の直線状の鋼管１１によって双曲面を形成するために、各鋼管１１は縦方向とこれら縦方向の鋼管１１（１１ａ）と連結される斜め横方向の鋼管１１（１１ｂ）で構成され、これら鋼管１１（１１ａ，１１ｂ）は、平行ではなく、所定角度をもって順次配設されており、各鋼管１１は、すじかい（brace）１２で補強される。
【００２８】
本実施形態で使用する鋼管１１は直径４５０ｍｍであり、すじかい（brace）１２の鉄骨材は直径５０ｍｍの鋼棒である。そして、これら２つのＨＰシェル１０（１０ａ，１０ｂ）の外周面は、複数の直線状鋼管１１（１１ａ，１１ｂ）によって双曲放物面に形成されている。
【００２９】
本実施形態では、全ての鋼管及びすじかい（brace）に鋼管及び鉄骨材を使用しているので、部材等の製造や取り扱いが容易で、その構成材である直線状の鋼管及び鉄骨材をその耐用年数や機能に従い構成することが可能である。また直線状の鋼管及び鉄骨材を用いているため、交換、補修、変更を最小限にすることができ、維持、更新が容易な構法により超高層タワーＴを構築できる。さらに、取り外し、分解、解体しやすく、再使用・再生利用の資源として容易に活用できる。
【００３０】
また、２つのＨＰシェル１０（１０ａ，１０ｂ）は、上面視概略三角形状のシェル構造であり、下方から上方に向けて放物状から略垂直状に形成された上面視概略三角形状の頂点１０ｃを備えている。
そして、それぞれのＨＰシェル１０（１０ａ，１０ｂ）の上面視概略三角形状の頂点１０ｃを外側にして、それぞれのＨＰシェル１０の上面視概略三角形状の底辺側は、間隙Ｘを置いて対向させて、図５で示すように、上面視概略菱形の形状として形成されている。
【００３１】
上記各ＨＰシェル１０（１０ａ，１０ｂ）は、トラス柱２０と連結される。より具体的にいうと、本実施形態のトラス柱２０は、図６、図８、図９で示すように、所定間隔（本実施形態では１５ｍの間隙）を置いて４本の柱２０ａ，２０ｂ，２０ｃ，２０ｄから構成されており、上面視概略三角形状のＨＰシェル１０（１０ａ，１０ｂ）の頂点１０ｃを頂点としたときの底面に相当する面の両側部分にそれぞれ接合される。
【００３２】
４本のトラス柱２０の内、各２本のトラス柱２０（２０ａ及び２０ｄと、２０ｂ及び２０ｃ）との間は、ＨＰシェル１０（１０ａ，１０ｂ）の上方に向けた先細り形状と整合するように配設される。そして、２つのＨＰシェル１０（１０ａ，１０ｂ）は、所定間隔をおいて対向するように配設されている。
【００３３】
本実施形態では、図９で示すように、各トラス柱２０（２０ａ，２０ｂ，２０ｃ，２０ｄ）は、所定長さの直径概略１５００ｍｍの内部にコンクリートを充填した鋼管１５を上方に連続するように４本配置し、この４本の鋼管１５を直径６００ｍｍ〜直径７００ｍｍの４本の鋼管１４で所定間隔ごとに連結する。そして、各鋼管１４と鋼管１５とで形成される四角の部分を、直径５０ｍｍの鋼棒からなる、すじかい（brace）１２で補強する。
【００３４】
このようにして構成された４本のトラス柱２０のうち、対向するＨＰシェル１０（１０ａ，１０ｂ）とそれぞれ連結されたトラス柱２０（２０ａ，２０ｂ，２０ｃ，２０ｄ）を、図８及び図９で示すように所定間隔で、鋼管１４により連結する。つまりトラス柱２０ａとトラス柱２０ｄを所定間隔で、またトラス柱２０ｂとトラス柱２０ｃを所定間隔で、鋼管１４により連結する。同時に、対向するＨＰシェル１０（１０ａ，１０ｂ）と連結されたトラス柱２０（２０ａと２０ｄ、２０ｂと２０ｃ）において、連結した鋼管１４の間は、直径概略１００ｍｍのすじかい（brace）１３で補強される。
【００３５】
さらに、トラス柱２０ａとトラス柱２０ｂを所定間隔で、またトラス柱２０ｃと２０ｄを所定間隔で、それぞれ鋼管１６により連結する。すなわち、鋼管１４で連結されたトラス柱２０ａとトラス柱２０ｄとの連結体と、トラス柱２０ｂとトラス柱２０ｃとの連結体とが、鋼管１６により連結される。
【００３６】
なお、本実施態様では、上述した径の鋼管及びすじかい（brace）を使用しているが、構造設計上許容される場合には、上述した以外の径の鋼管及び鉄骨材を使用することができる。
【００３７】
これらのＨＰシェル１０（１０ａ，１０ｂ）の双曲面については、所定の方程式で算出され、また風荷重に関しては構造解析によって、鋼管の数や配置、すじかい（brace）１２で補強等が決定される。
本実施形態では、８００ｍの高度地点で、間隙Ｘのない長手方向風荷重（７００００ｋNと想定）に対しては、最大１．９９ｍ（δ＝１．９９ｍ）の揺れ、間隙Ｘのある南北側からの風荷重（７００００ｋNと想定）に対しては、最大１．６９ｍ（δ＝１．６９ｍ）の揺れとなる。風荷重の受ける部分が面ではなく鋼管であるため、風荷重の影響が少なく、他の鉄筋コンクリートを用いたラーメン構造物等と比較して、より安定的となる。
【００３８】
超高層タワーＴの内部には、展望台３１（３１ａ，３１ｂ，３１ｃ）及び高速エレベーターのために、２つのＨＰシェル１０（１０ａ，１０ｂ）とは別個に独立し、上方向に延伸する構造体３０が形成されている。
本実施形態の構造体３０は、超高層タワーＴの略中央位置に形成されるものであり、図１０で示すように、トラス柱２０と連結された３つの展望台（第１展望台３１ａ、第２展望台３１ｂ、第３展望台３１ｃ）と、上端のシンボル３２と、エレベーターのガイド構造物３６ａ，３６ｂ，３６ｃ（図１１乃至図１３参照）とから構成されている。
【００３９】
上記展望台３１（３１ａ，３１ｂ，３１ｃ）は、例えば、一般訪問者向けに、第１展望台３１ａが地上８０ｍ、第２展望台３１ｂが地上２００ｍ、第３展望台３１ｃが地上５００ｍというような構成とすることができ、地上８００ｍレベルには電波機器専用のプラットホームを形成することが可能となる。また充分な面積のある第１展望台３１ａ、第２展望台３１ｂにはカフェ、レストランなどを設置することが可能となる。
【００４０】
第１展望台３１ａは、図１０及び図１１で示すように、床部となる床構造物３３ａの下部が支柱３７によって支持されて、床構造物３３ａの外周側はＨＰシェル１０（１０ａ，１０ｂ）の内側面と連結されるフレーム構造物として形成されている。また、床構造物３３ａの中央には、エレベーターのガイド構造物３６ａが架設されている。このガイド構造物３６ａの中心には、エレベーターが配設される空間３４が形成されている。この空間３４は、間隙Ｘの外側位置に形成され、ＨＰシェル１０内側に位置して、間隙Ｘを塞ぐことがないように構成されている。そして、ガイド構造物３６ａの端部側の４箇所の連結部３５ａがトラス柱２０（２０ａ〜２０ｄ）と連結されて構成されている。
【００４１】
第２展望台３１ｂ及び第３展望台３１ｃも上記第１展望台３１ａと同様に形成される。第２展望台３１ｂは、図１０及び図１２で示すように、床構造物３３ｂの外周側はＨＰシェル１０（１０ａ，１０ｂ）の内側面と連結されるフレーム構造物として形成されている。また、床構造物３３ｂの中央には、エレベーターのガイド構造物３６ｂが架設されている。このガイド構造物３６ｂの中心には、エレベーターが配設される空間３４が形成されている。この空間３４は、間隙Ｘの外側位置に形成され、ＨＰシェル１０内側に位置して、間隙Ｘを塞ぐことがないように構成されている。そして、ガイド構造物３６ｂの端部側の４箇所の連結部３５ｂがトラス柱２０（２０ａ〜２０ｄ）と連結されて構成されている。
【００４２】
第３展望台３１ｃは、図１０及び図１３で示すように、床構造物３３ｃの外周側はＨＰシェル１０（１０ａ，１０ｂ）の内側面と連結されるフレーム構造物として形成されている。また、床構造物３３ｃの中央には、エレベーターのガイド構造物３６ｃが架設されている。このガイド構造物３６ｃの中心には、エレベーターが配設される空間３４が形成されている。この空間３４は、間隙Ｘの外側位置に形成され、ＨＰシェル１０内側に位置して、間隙Ｘを塞ぐことがないように構成されている。そして、ガイド構造物３６ｃの端部側の４箇所の連結部３５ｃがトラス柱２０（２０ａ〜２０ｄ）と連結されて構成されている。
【００４３】
以上のように、上記第１展望台３１ａ、第２展望台３１ｂ、第３展望台３１ｃにおいて、高速エレベーターの配置位置は、２つのＨＰシェル１０（１０ａ，１０ｂ）の間隙Ｘの外側位置（すなわち、ＨＰシェル内）に位置するように配設される。このため、東西方向に間隙Ｘを合わせることで、太陽の進行に従い年に二度、この間隙Ｘの中心に太陽が昇り、沈む、天体スケールの風景画を確実にすることができる。
【００４４】
本実施形態の超高層タワーＴは、例えば図１４で示すような作業によって、構築することが可能である。図１４で示すように、グランドＧには基礎工事が行なわれ、ＨＰシェル１０を構成する鋼管を打込み、上方へむけて連結する作業を行なう。また４本のトラス柱２０を構築するのと同時に、第１展望台の床部となる床構造物３３ａの支柱３７を構築し、その支柱３７の上に第１展望台の床構造物３３ａを構築する。この支柱３７は、トラス柱２０と同様にして構築する。このとき、複数のクレーンＫによって鋼管を移動させ、同時に鋼管を溶接やボルトナットによって接合して直線状のものとする。さらに、第１展望台３１ａの床構造物３３ａの上には、仮柵３８を形成して、鋼管とすじかい（brace）で補強しながら鋼管と鉄骨材からなるＨＰシェル１０を構築していく。
【００４５】
以上のように構築された超高層タワーＴは、デジタル放送・通信に適した８８８ｍのタワーであり、直線状の鋼管及び鉄骨材の組み合わせで形成され、一般の訪問者のための展望台が設けられている。このように、タワーの部位、部材はその生産及び運用・廃棄段階でできるだけ環境負荷の小さな材料として鉄骨材で構成できる。
【００４６】
塔状になった２つのＨＰシェル１０（１０ａ，１０ｂ）は曲面の面外方向の外力（風荷重）に対して、主に面内応力で立体的に抵抗することから塔全体の曲げ変形を抑える大きな剛性効果をもっている。しかもシェルの大部分がほぼ均等な膜応力状態になるという力学特性を有するため、このような巨大な塔状構造物を均質な部材で構成できる。したがって、ＨＰシェル１０（１０ａ，１０ｂ）は経済的にも審美的にも理想的な空間骨組構造となっている。
【００４７】
超高層タワーＴは、国際情報通信共同施設整備、観光振興、地域振興に供するため、世界最初の高度８８８ｍ超高層空間利用施設として建設することが可能である。
【００４８】
超高層タワーＴの具体的な用途としては、タワーＴの高層部（高度８８８ｍ）をデジタル電波塔として利用することができる。利用者としては関連機関、企業が利用でき、例えばテレビ放送、有線放送・ケーブルテレビ、通信回線、衛星放送、電信電話、防災警備などに利用される。
【００４９】
またタワーＴの低層部分、中高層部、展望室部分には以下の施設が例として挙げられる。展望台、ロビー、文化情報センター、レストラン、商業施設（低層及び第１展望台）、通信科学博物館（デジタルアーカイブ）、電波・通信設備関連、設備・機械室、有料駐車場（周辺地区もしくは地下）などである。
さらに、超高層タワーＴの周辺地区で地区計画を拡大して行った場合には、ホテル、オフィス、高層住居、中層住居等を構築することが可能である。
【００５０】
施設規模とすると、敷地面積（タワー足元での外形面積）：３６，０００ｍ２
、延床面積：２０，１７０ｍ２、第１展望台：４，８３０ｍ２、第２展望台：２，１４０ｍ２、第３展望台：１，３００ｍ２、その他：１１，９００ｍ２、諸施設の面積設定は適宜決定することが可能である。
【００５１】
また超高層タワーＴで使用するエネルギーとしては、太陽光発電、風力発電、水素エネルギー等自然エネルギーを可能な限り利用することが可能であり、持続可能な循環型社会実現に貢献するエコロジー志向とすることが可能である。
【００５２】
（他の実施形態）
図１５乃至図１８は、他の実施形態に係る超高層タワーを説明する図であり、図１５及び図１６は他の実施形態を示すもので、図１５は超高層タワーの東西立面図、図１６は図１５の実施形態の上面図である。また図１７及び図１８は更に他の実施形態を示すもので、図１７は超高層タワーの東西立面図、図１８は図１７の実施形態の上面図である。
これらの各実施形態において、超高層タワーＴの形状が、ＨＰシェル１０の基礎面Ｇ１の形状と、２つのＨＰシェル１０の間隙Ｘ（スリット）が異なっても、前記した実施形態と同様に構築することができ、本発明の効果を奏するものである。
【図面の簡単な説明】
【００５３】
【図１】本発明に係る超高層タワーの一実施形態を示す東西立面図である。
【図２】図１の反対側からの立面図である。
【図３】本発明に係る超高層タワーの一実施形態を示す南北立面図である。
【図４】図３の反対側からの立面図である。
【図５】グランド部分を含む所定高さにおける概略断面図である。
【図６】本発明に係る超高層タワーのＨＰシェルの構成の一実施形態を示す説明図である。
【図７】ＨＰシェルの外周側を構成する鋼管と鋼棒との連結の一例を示す部分説明図である。
【図８】ＨＰシェルのトラス柱の一例を示す説明図である。
【図９】図８の部分拡大図である。
【図１０】展望台の構成の一例を示す概略構成図である。
【図１１】第１展望台の床面の構造の一例を示す説明図である。
【図１２】第２展望台の床面の構造の一例を示す説明図である。
【図１３】第３展望台の床面の構造の一例を示す説明図である。
【図１４】本発明に係る超高層タワーの建設作業の説明図である。
【図１５】他の実施形態を示す超高層タワーの東西立面図である。
【図１６】図１５の実施形態の上面図である。
【図１７】更に他の実施形態を示す超高層タワーの東西立面図である。
【図１８】図１７の実施形態の上面図である。
【符号の説明】
【００５４】
１０（１０ａ，１０ｂ）  シェル（ＨＰシェル）
１０ｃ  頂点
１１（１１ａ，１１ｂ），１４，１５，１６  鋼管
１２，１３  すじかい（brace）
２０（２０ａ，２０ｂ，２０ｃ，２０ｄ）  トラス柱
３０  構造体
３１（３１ａ，３１ｂ，３１ｃ）  展望台
３２  シンボル
３３ａ，３３ｂ，３３ｃ  床構造物
３４  空間
３５ａ，３５ｂ，３５ｃ  連結部
３６ａ，３６ｂ，３６ｃ  ガイド構造物
３７  支柱
３８  仮柵
Ｇ    グランド
Ｇ１  基礎面
Ｋ    クレーン
Ｌ    基準線
Ｔ    超高層タワー
【図１】
0005090131.tif 000002
【図２】
0005090131.tif 000003
【図３】
0005090131.tif 000004
【図４】
0005090131.tif 000005
【図５】
0005090131.tif 000006
【図６】
0005090131.tif 000007
【図７】
0005090131.tif 000008
【図８】
0005090131.tif 000009
【図９】
0005090131.tif 000010
【図１０】
0005090131.tif 000011
【図１１】
0005090131.tif 000012
【図１２】
0005090131.tif 000013
【図１３】
0005090131.tif 000014
【図１４】
0005090131.tif 000015
【図１５】
0005090131.tif 000016
【図１６】
0005090131.tif 000017
【図１７】
0005090131.tif 000018
【図１８】
0005090131.tif 000019